(57)【要約】【課題】  コンピュータシステムのＨＤＤを容易に、迅速に、且つ効果的に取り付けおよび取り外しをすることができるＨＤＤキャリアを提供する。【解決手段】  コンパクトなツールレスのＨＤＤキャリアに関わるものであり、コンピューティングデバイスは、少なくとも１つのドライブスロットを含む筐体であり、少なくとも１つのドライブスロットは、縦溝を有する少なくとも１つの耳部と、ハードディスクドライブの対応するコネクタと係合する少なくとも１つのコネクタと、ピン挿入部とピン保持部を有する少なくとも１つの水平トラックとを含む、筐体を含むことができる。コンピューティングデバイスは、少なくとも１つのドライブスロットに取り外し可能に挿入するハードドライブキャリアも含む。【選択図】図１Ａ
2018120574.tif 000002
【特許請求の範囲】
【請求項１】
少なくとも１つのドライブスロットを含む筐体であり、前記少なくとも１つのドライブスロットは、縦溝を有する少なくとも１つの耳部と、ハードディスクドライブの対応するコネクタと係合する少なくとも１つのコネクタと、ピン挿入部とピン保持部を有する少なくとも１つの水平トラックとを含む、前記筐体、および
前記少なくとも１つのドライブスロットに取り外し可能に挿入するハードドライブキャリアを備え、
前記ハードドライブキャリアは、
前記ハードディスクドライブを固定し、ブラケットから延伸し、前記ピン挿入部を介して前記少なくとも１つの水平トラック内に挿入されるように構成された少なくとも１つのピンを有し、前記少なくとも１つのピンが前記ピン保持部と係合したとき、前記取り外し可能なハードドライブキャリアの水平移動を制限するように構成されるブラケット、および
前記ブラケットに搖動可能に取り付けられ、前記縦溝に挿入されるように構成された少なくともと１つのガイドピンを有し、ローディング位置と係止位置との間で交替するように構成されたハンドルを含み、
前記ガイドピンは、前記ハンドル上に配置されて前記縦溝と係合され、
前記ハンドルがローディング位置にあり、且つ前記縦溝と係合したときに前記少なくとも１つのピンが前記ピン挿入部と整合するようにし、
前記ハンドルが前記ローディング位置から前記係止位置に変わったときに前記少なくとも１つのピンが前記ピン保持部と係合するようにするコンピューティングデバイス。
【請求項２】
前記少なくとも１つのドライブスロットは、第１の係止部材を含み、
前記ハンドルは、前記ハンドルが前記係止位置にあるとき、前記ドライブスロットの前記第１の係止部材を係合するように構成された第２の係止部材を含む請求項１に記載のコンピューティングデバイス。
【請求項３】
前記第１の係止部材は、フックを含み、
前記第２の係止部材は、前記フックと係脱可能に係合するように構成されたボタンを含む請求項２に記載のコンピューティングデバイス。
【請求項４】
前記ブラケットは、
前記ハードディスクドライブを収容する収容空間、及び
前記収容空間内に延伸し、且つ前記ハードディスクドライブの複数の凹部に対応するように配置されて、前記ハードディスクドライブを前記収容空間内に固定する複数の凸部を含み、
前記複数のピンは、１つ以上の可動ピンおよび１つ以上の固定ピンを含む請求項１に記載のコンピューティングデバイス。
【請求項５】
前記１つ以上の固定ピンは、垂直方向に延伸し、
前記１つ以上の可動ピンは、水平方向に延伸する請求項４に記載のコンピューティングデバイス。
【請求項６】
前記１つ以上の可動ピンを支持し、且つ前記１つ以上の可動ピンを前記収容空間に出入り可能に移動するように構成された少なくとも１つのラッチを更に含む請求項４に記載のコンピューティングデバイス。
【請求項７】
前記ガイドピンは、前記ハンドルの回転軸からオフセットされる請求項１に記載のコンピューティングデバイス。
【請求項８】
縦溝を有する少なくとも１つの耳部と、ハードディスクドライブの対応するコネクタと係合する少なくとも１つのコネクタと、ピン挿入部とピン保持部を有する少なくとも１つの水平トラックとを含む筐体を有するドライブスロットに対して、取り外し可能な状態で挿入されるハードドライブキャリアであって、
前記ハードドライブキャリアは、
前記ハードディスクドライブを固定するブラケットであり、前記ブラケットは前記ブラケットから延伸する少なくとも１つのピンを有し、前記少なくとも１つのピンは前記ピン挿入部を介して前記少なくとも１つの水平トラック内に挿入されるように構成され、前記少なくとも１つのピンが前記ピン保持部と係合したとき、前記取り外し可能なハードドライブキャリアが前記ドライブスロットの水平移動を制限されるように構成される前記ブラケット、及び
前記ブラケットに搖動可能に取り付けられたハンドルであり、前記ハンドルは前記縦溝に挿入されるように構成された少なくともと１つのガイドピンを有し、ローディング位置と係止位置との間で交替するように構成された前記ハンドルを含み、
前記ガイドピンは、
前記ハンドル上に配置され、
前記ハンドルがローディング位置にある場合に、少なくとも１つのピンが前記ピン挿入部に整合するように、前記縦溝と係合し、
前記ハンドルが前記ローディング位置から前記係止位置に変わった場合に、前記少なくとも１つのピンが前記ピン保持部と係合するように、前記縦溝と係合するハードドライブキャリア。
【請求項９】
前記少なくとも１つのドライブスロットは、第１の係止部材を含み、
前記ハンドルは、前記ハンドルが前記係止位置にあるとき、前記第１の係止部材を係合するように構成された第２の係止部材を含む請求項８に記載のハードドライブキャリア。
【請求項１０】
前記第２の係止部材は、前記ドライブスロットの前記第１の係止部材と係脱可能な状態で係合するように構成されたボタンを含む請求項９に記載のハードドライブキャリア。
【発明の詳細な説明】
【技術分野】
【０００１】
本発明は、ハードドライブディスクキャリアに関し、特に、コンパクトでツールレスのハードドライブディスクキャリアに関するものである。
【背景技術】
【０００２】
ハードディスクドライブ（ＨＤＤ）は、一般的に現在のコンピュータシステムにおいて、比較的大量のデータを記憶するのに用いられている。例えば、アーカイブテープコピーへのアクセスと比べると、ＨＤＤは、使用者が比較的大量のデータに合理的に迅速にアクセスする必要があるときに特に役立つ。ＨＤＤは、比較的大きな記憶容量を提供する一方でますます安価になっていることから、更により一般的に用いられるようになってきた。また、例えば、撮影およびデジタル画像保存などの新しい技術がより普遍的になるにつれ、大きな容量のＨＤＤがコンピュータシステムにおいてますます重要になっていく。
【０００３】
現在、異なるタイプのコンピュータシステムからＨＤＤを取り外すには、工具を必要としてケーブル用ソケットからケーブルを引き抜くことが必要である。しかしながら、時間の経過とともに、または不適正な使用によって、これらのケーブルまたはソケットは、脆くなり、ＨＤＤを用いているときにデータ転送エラーを招く可能性がある。このような問題によりＨＤＤの取り付けは容易でない。
【０００４】
また、コンピュータデータセンター（インターネットデータセンターまたはエンタープライズデータセンターとも呼ばれる）は、さまざまなＨＤＤを用いた無数のコンピュータシステムを含むことができる。データセンターの大量の高容量のＨＤＤの取り付けおよび取り外しに関連する重大な問題を生じる。データセンターのＨＤＤを取り付ける、または取り外すのに関わる時間および技能は重荷となっている。
【０００５】
従って、さまざまな原因（例えば、データバックアップおよび一般のスイッチングＨＤＤ）により、コンピュータシステムのＨＤＤを容易に、迅速に、且つ効果的に取り付けおよび取り外しをすることができることが非常に重要となっている。
【発明の概要】
【発明が解決しようとする課題】
【０００６】
コンピュータシステムのＨＤＤを容易に、迅速に、且つ効果的に取り付けおよび取り外しをすることができるＨＤＤキャリアを提供する。
【課題を解決するための手段】
【０００７】
本発明の実施形態は、コンパクトなツールレスのＨＤＤキャリアに関わるものである。さまざまな実施形態に基づいて、コンピューティングデバイスは、少なくとも１つのドライブスロットを含む筐体であり、少なくとも１つのドライブスロットは、縦溝を有する少なくとも１つの耳部と、ハードディスクドライブの対応するコネクタと係合する少なくとも１つのコネクタと、ピン挿入部とピン保持部を有する少なくとも１つの水平トラックと、を含むことができる。コンピューティングデバイスは、少なくとも１つのドライブスロットに取り外し可能に挿入するハードドライブキャリアも含む。
【０００８】
ハードドライブキャリアは、ハードディスクドライブを固定し、ブラケットから延伸し、ピン挿入部を介して少なくとも１つの水平トラック内に挿入されるように構成された少なくとも１つのピンを有し、少なくとも１つのピンがピン保持部と係合したとき、取り外し可能なハードドライブキャリアの水平移動を制限するように構成されるブラケットを含む。
【０００９】
ハードドライブキャリアは、ブラケットに搖動可能に取り付けられ、且つ縦溝に挿入されるように構成された少なくともと１つのガイドピンを有し、ハンドルは、ローディング位置と係止位置との間で交替するように構成されたハンドルも含む。コンピューティングデバイスでは、ガイドピンは、ハンドル上に配置されて縦溝と係合され、ハンドルがローディング位置にあり、且つ縦溝と係合したときに少なくとも１つのピンがピン挿入部と整合するようにし、ハンドルがローディング位置から係止位置に変わったときに少なくとも１つのピンがピン保持部と係合するようにする。
【００１０】
コンピューティングデバイスでは、少なくとも１つのドライブスロットは、第１の係止部材を含むことができ、ハンドルは、ハンドルが係止位置にあるとき、第１の係止部材を係合するように構成された第２の係止部材を含むことができる。第１の係止部材は、フックであることができ、第２の係止部材は、フックと係脱可能に係合するように構成されたボタンであることができる。
【００１１】
コンピューティングデバイスでは、ブラケットは、ハードディスクドライブを収容する収容空間、及び、収容空間内に延伸し、且つハードディスクドライブの複数の凹部に対応するように配置されて、ハードディスクドライブを収容空間内に固定する複数の凸部を有することができ、複数のピンは、１つ以上の可動ピンおよび１つ以上の固定ピンを含む。１つ以上の固定ピンは、垂直方向に延伸し、１つ以上の可動ピンは、水平方向に延伸することができる。
【００１２】
コンピューティングデバイスは、１つ以上の可動ピンを支持し、且つ１つ以上の可動ピンを収容空間に出入り可能に移動するように構成された少なくとも１つのラッチを更に含むことができる。
【００１３】
コンピューティングデバイスでは、ガイドピンは、ハンドルの回転軸からオフセットされることができる。
【発明の効果】
【００１４】
本発明は、コンピュータシステムのＨＤＤを容易に、迅速に、且つ効果的に取り付けおよび取り外しをすることができる。
【図面の簡単な説明】
【００１５】
【図１Ａ】本実施形態に係る、ＨＤＤキャリアの立体図である。
【図１Ｂ】本実施形態に係る、ＨＤＤキャリアの底面図である。
【図１Ｃ】本実施形態に係る、ＨＤＤキャリアの側面図である。
【図１Ｄ】本実施形態に係る、ＨＤＤキャリアの上面図である。
【図２】図１のＨＤＤキャリアをＨＤＤに挿入した後、且つＨＤＤキャリア内にＨＤＤを固定する前を示している。
【図３】図１のＨＤＤキャリアをＨＤＤに挿入した後、且つＨＤＤキャリア内にＨＤＤを固定する前を示している。
【図４】実施形態に基づいて、図１のＨＤＤキャリアがシャーシ内のドライブスロット内に挿入され、ローディング位置に配置されているのを示している。
【図５】図４のインセット５の詳細図を示している。
【図６】実施形態に基づいて、図１のＨＤＤキャリアがシャーシ内のドライブスロット内に挿入され、係止位置に配置されているのを示している。
【図７Ａ】図１のＨＤＤキャリアがシャーシ内のドライブスロット内に挿入後のローディング位置から係止位置への移行を概略的に示している。
【図７Ｂ】図１のＨＤＤキャリアがシャーシ内のドライブスロット内に挿入後のローディング位置から係止位置への移行を概略的に示している。
【図７Ｃ】図１のＨＤＤキャリアがシャーシ内のドライブスロット内に挿入後のローディング位置から係止位置への移行を概略的に示している。
【発明を実施するための形態】
【００１６】
添付の図面を参照しながら本発明を説明するが、同様の参照番号は全体を通して同様の、または同一の要素を示すのに用いられる。図面は、本発明を説明するためのものであり、縮尺通りに描かれるとは限らない。本発明のいくつかの態様では、説明のために、応用例を参照に以下に述べられる。多数の特定の詳細、関係、および方法が本発明の完全な理解を提供するために明記されていることは理解すべきである。しかしながら、当業者には、本発明は、これらの特定の詳細なしに、または他の方法を用いて行い得ることは容易に理解できるであろう。その他の実施形態において、従来公知の構造または操作は、本発明が曖昧にならないようにするため、詳述されていない。本発明は、記載された動作またはイベントの順序に限定されるものではなく、いくつかの動作は、異なる順序および／またはその他の動作またはイベントと同時に起こり得る。
【００１７】
上述のように、コンピュータシステムにＨＤＤを効率よく確実に取り付けるまたは取り外す手段を開発することに大きな関心がある。特に、以下の手段を開発することに大きな関心がある：（１）コンピュータシステム内にＨＤＤを取り付ける工具を必ずしも必要としない；（２）コンピュータシステムのＨＤＤに必要な空間を最小化する；および（３）ＨＤＤ、コンピュータシステム、またはＨＤＤとコンピュータシステム間のコネクタに損傷を与え得るＨＤＤの不正確な取り付けの状態を低減またはなくす。
【００１８】
上述のように、本発明は、コンピュータシステムおよび前述の条件に対応するためのコンピュータシステム用のＨＤＤキャリアの設計を考える。特に、本発明は、（１）技術者に、ＨＤＤキャリアにＨＤＤを容易に確実に取り付けさせるＨＤＤキャリアの設計、および（２）技術者に最小限の工数と訓練でコンピュータシステムのＨＤＤに機械的電気的取り付けをさせるコンピュータシステム用の対応するドライブスロットの設計、を考える。このような設計は図１Ａ〜図１Ｄに説明する。
【００１９】
図１Ａ、図１Ｂ、図１Ｃ、および図１Ｄは、本実施形態に係る、ＨＤＤキャリア１００の立体図、底面図、側面図、および上面図である。図１Ａ〜図１Ｄに示されるように、ＨＤＤキャリア１００は、水平の位置でＨＤＤ１０６を収容して固定する収容空間１０４を有するブラケット１０２を含む。ブラケット１０２は、側面１０３および第１の端部１０２Ａおよび第２の端部１０２Ｂを有する。
【００２０】
ＨＤＤキャリア１００では、ＨＤＤ１０６は、固定凸部１０８および可動凸部１１０を含む複数の凸部を用いてＨＤＤキャリア１００内に固定される。固定凸部１０８および可動凸部１１０は、その位置がＨＤＤ１０６の開口または凹部（ｉｎｄｅｎｔａｔｉｏｎｓ）１１４に対応するようにＨＤＤキャリア内に配置される。例えば、図１Ａ〜図１Ｄに示された図において、凹部１１４は、ＨＤＤに用いるための標準のネジ穴である。しかしながら、さまざまな実施形態は、これに限定されるものではなく、凸部１０８および１１０は、任意の他の特徴のＨＤＤに対応して配置されることができる。
【００２１】
上述のように、複数の凸部は、固定凸部１０８および可動凸部１１０を含む。このような構成は、ＨＤＤ１０６をキャリア１００に取り付けるのを容易にするために提供されている。特に、固定凸部１０８は、収容空間１０４内のＨＤＤ１０６の初期配置のために用いられることができる。その後、可動凸部１１０はブラケット１０２内にＨＤＤ１０６を固定する位置に移動されることができる。
【００２２】
可動凸部１１０は、様々な方式で実施されることができる。１つの例示的な構成が図１Ａ〜図１Ｄに示されている。例示的な構成では、可動凸部１１０は、ブラケット１０２に搖動可能（pivotably attached）に取り付けられたラッチ１１２の内面から水平に延伸する。ラッチ１１２は、閉位置と開位置を有する。開位置では、ラッチ１１２（および凸部１１０を有する内面）は、ブラケット１０２から揺動する(swing away)。閉位置では、ラッチ１１２は、ラッチ１１２の内面がブラケット１０２の側面１０２と実質的に一致するようにブラケット１０２に向かって揺り返される。また、ブラケット１０２の側面１０３は、可動凸部がブラケット１０２の側面１０３を通って閉位置にある収容空間１０４内に延伸するように構成されることができる。ラッチ１１２を閉位置に固定するために、ラッチ１１２およびブラケット１０２の側面１０３は、対応したインターロックの構成を有することができる。
【００２３】
留意すべきことは、本発明の可動凸部１１０は、ラッチタイプの機構以外の機構を用いて構成されてもよい。例えば、いくつかの実施形態では、工具不要、バネ付勢された機構が可動凸部１１０をブラケット１０２に提供するように構成されることができる。また、他の実施形態では、可動凸部１１０は、工具を必要とせずにブラケット１０２に取り付けられる、またはブラケット１０２から取り外されることができる取り外し可能な挿入構造に組み込まれることができる。これらの機構は、例として示されたものであり、本発明を制限するものではない。また、本発明の可動凸部１１０は、上述の機構以外の任意の他の機構により構成することができる。また、本発明の可動凸部１１０は、任意の組み合わせの機構を用いて構成することができる。即ち、異なる可動凸部１１０が異なる機構を用いて構成することができる。
【００２４】
本発明の固定凸部１０８も工具を必要とせずに取り付ける、または取り外すことができる機構を用いて構成することができる。可動凸部１１０に関する上述の機構もこの目的のために用いられることができる。このような設定は、単一のブラケットにさまざまなＨＤＤの設定または異なる支持の配置を支持させることができる。例えば、異なるＨＤＤは、異なる凹部１１４の配置を有することができる。従って、ブラケット１０２は、固定凸部１０８および可動凸部１１０の再配置をさせるように構成されることができる。または、異なる方式で異なるタイプのＨＤＤを支持することが望ましい。即ち、特定の組み合わせの凹部１１４が固定凸部１０８と可動凸部１１０によって係合された場合、ＨＤＤより安定した、またはより良い性能を有することができる。
【００２５】
ＨＤＤキャリア１００は、ハンドル１２０を更に含む。図１Ａ〜図１Ｄの例示的な構成では、ハンドル１２０が収容空間１０４の上方で揺動することができるように、ハンドル１２０は、支点１２２にてブラケット１０２の側面１０３に設置される。こうしてハンドル１２０の回転軸１２４を定義する。ハンドル１２０は、図１Ａ〜図１Ｄに示されるように、垂直位置と水平位置の間で選択的に配置される。水平位置では、ハンドル１２０は、第１の端部１０２Ａに向かって揺動する。ハンドル１２０は、回転軸１２４からオフセットしたガイドピン１２６も含む。図１Ａ〜図１Ｄの構成では、ハンドル１２０は、実質的に対称である。即ち、ハンドル１２０は、支点１２２を介してブラケット１０２の各側面に設置され、且つブラケット１０２の各側面と対応したガイドピン１２６を有する。ハンドル１２０およびガイドピン１２６の使用および操作は、以下に詳細に論じられる。
【００２６】
最後に、図１Ａ〜図１Ｂに示されるように、ハンドル１２０は、係止部材１２８を含むことができる。図１Ａ〜図１Ｂの例示的な構成では、係止部材１２８は、ハンドル１２０が水平位置にあるとき、対応する係止部材と係合するボタンとして構成され、ボタンが押されたとき、対応する係止部材を係脱する。しかしながら、本発明の任意の他のタイプの機構も係止部材１２８に用いられることができる。また、例示的なＨＤＤキャリア１００は、ハンドル１２０の上部に単一の係止部材１２８のみ示しているが、本発明の係止部材の数および位置は変えることができる。
【００２７】
図２および図３は、図１Ａ〜図１ＤのＨＤＤキャリア１００いくつかの態様の操作が示されている。図２は、図１のＨＤＤキャリア１００をＨＤＤに挿入した後、且つＨＤＤキャリア内にＨＤＤを固定する前を示している。図３は、図１のＨＤＤキャリア１００をＨＤＤに挿入した後、且つＨＤＤキャリア内にＨＤＤを固定する前を示している。
【００２８】
図１Ａに示すように、ＨＤＤ１０６は、ラッチ１１２がブラケット１０２の側面１０３と係合されていないときに、収容空間１０４に挿入される。従って、ＨＤＤ１０６は、任意の固定凸部１０８の位置およびブラケット１０２の側面１０３に基づいて収容空間１０４内に配置される。この構成は、図２に示される。留意すべきことは、図２の構成ではハンドル１２０が垂直位置にあるのを示しているが、ＨＤＤ１０６を収容空間１０４内にローディングするときのハンドル１２０の位置は、ラッチ１１２の構成およびＨＤＤキャリア１００の他の部品によって異なることができる。
【００２９】
ＨＤＤ１０６が収容空間１０４内に配置されると、ラッチ１１２は、図２に示されるように、内側に搖動されることができる。ラッチ１１２は、ラッチ１１２がブラケット１０２の側面１０３に係合するまで、内側に搖動されることができる。このとき、可動凸部１１０は、ブラケット１０２の側面を通ってＨＤＤ１０６の対応する凹部１１４内に延伸する。このとき、ＨＤＤ１０６は、ＨＤＤキャリア１００に固定される。
【００３０】
ＨＤＤキャリア１００の構成および操作が述べられる。以下、ＨＤＤキャリア１００を収容するドライブスロットの構成および操作を説明する。以下、図４、図５、図６および図７Ａ〜図７Ｃに対応して説明される。
【００３１】
図４および図５は、実施形態に基づいて、図１のＨＤＤキャリア１００がシャーシ内のドライブスロット４０２内に挿入され、ローディング位置に配置されているのを示している。図５は、図４のインセット５の詳細図を示している。
【００３２】
ＨＤＤキャリア１００は、コンピューティングデバイス４００のドライブスロット４０２内に挿入するように構成される。コンピューティングデバイスは、スタンドアロンのコンピュータ、サーバー、または任意の他のタイプのコンピューティングデバイスであることができる。ドライブスロット４０２は、耳部４０４、１つ以上の水平トラック４０６、コネクタ（明確にするために描かれない）、および係止部材４１０を含む。ドライブスロット４０２は、シャーシまたは筐体（明確にするために描かれていない）に配置されることができる。
【００３３】
耳部４０４は、側壁４０４Ａおよび縦溝４０４Ｂを含む。側壁４０４Ａおよび縦溝４０４Ｂは、ハンドル１２０が垂直位置にあるとき、ガイドピン１２６が縦溝４０４Ｂ内にスライドできるように位置決め配置されている。この部分は、以下により詳しく説明する。しかしながら、留意すべきことは、耳部４０４の構成は、図４および図５に示されたように限定されるものではなく、他の方式で同じ機能を提供するように構成されてもよいことである。
【００３４】
各水平トラック４０６は、ピン挿入部４０６Ａおよびピン保持部４０６Ｂを含む。ピン挿入部４０６Ａおよびピン１１８は、ピン１１８がＨＤＤキャリア１００の垂直移動によってピン挿入部４０６Ａに入ることができるような寸法にされて配置される。ピン保持部４０６Ｂおよびピン１１８は、ピン１１８がピン挿入保持部４０６Ｂ内に挿入された後、ＨＤＤキャリア１００の垂直移動が試みられたときでも、ピン１１８が水平軌道に留まり、ＨＤＤキャリア１００をドライブスロット４０２に保持するような寸法にされて配置される。ピン挿入保持部４０６Ｂもピン１１８移動させるように構成されるため、ＨＤＤキャリア１００をドライブスロット４０２に保持するとき、ＨＤＤキャリア１００は水平に移動する。
【００３５】
実施形態に基づいて、図１のＨＤＤキャリアがシャーシ内のドライブスロット内に挿入され、係止位置に配置されているのを示している。係止位置では、ＨＤＤキャリア１００は、図６に示されたように、ハンドル１２０が水平位置にあるように構成される。図６に更に示されるように、ＨＤＤキャリア１００の係止部材１２８は、ドライブスロット４０２の係止部材４１０と係合する。この構成では、ガイドピン１２６と耳部４０４との相互作用の操作がピン１１８をピン保持部４０６Ｂに移行させ、ドライブスロットのコネクタＨＤＤ１０６のコネクタに係合するようにさせる。このプロセスは、図７Ａ〜図７Ｃに詳述される。
【００３６】
図７Ａ、図７Ｂ、図７Ｃは、図１のＨＤＤキャリア１００がドライブスロット４０２内に挿入後のローディング位置から係止位置への移行を概略的に示している。ＨＤＤキャリア１００およびドライブスロット４０２のいくつかの特徴の符号は、不明瞭な詳細を避けるために、または解説および説明を容易にするために、提供されない。しかしながら、これらの特徴は、前の図の同じ特徴に対応する。
【００３７】
図７Ａは、ローディング位置を示している。ローディング位置では、ハンドル１２０は、垂直位置、即ち、ドライブスロット４０２から遠い位置にある。上述のように、ガイドピン１２６は、回転軸１２４からオフセットしているため、ハンドル１２０の位置は、ピン１１８に対するガイドピン１２６の位置を変えることになる。従って、垂直位置では、ピン１１８に対するガイドピン１２６の位置は、ガイドピン１２６が耳部４０４の縦溝４０４Ｂ内に挿入されたとき、ピン１１８もドライブスロット４０２で水平トラック４０６の中の１つに対応するピン挿入部４０６Ａと整合する。従って、ＨＤＤキャリア１００がドライブスロット４０２内に挿入されたとき、ブラケット１０２の底面は、ドライブスロット４０２に載置されることができる。この位置では、ドライブスロット４０２またはＨＤＤコネクタ７０２の係止部材４１０と係合するＨＤＤ１０６またはＨＤＤキャリア１００の部分はない。
【００３８】
図７Ｂは、ハンドル１２０が垂直位置から水平位置に移行するときのＨＤＤキャリア１００およびドライブスロット４０２を示している。ハンドル１２０が回転したとき、ガイドピン１２６は、耳部４０４の側壁４０４Ａの中の１つと係合する。側壁４０４Ａの位置は、ドライブスロット４０２に固定されるため、ガイドピン１２６により印加された力は、ＨＤＤキャリア１００の水平移動に変わる。特に、図７Ｂに示されるように、ピン１１８がピン保持部４０６Ｂ内に進むために、上述の力は、ピン１１８を第１の変換位置からピン保持部４０６Ｂに進ませ、更にハンドル１２０を水平位置に向かって移動させ、ＨＤＤキャリア１００を水平移動に制限する。ＨＤＤキャリアの水平移動も、ＨＤＤキャリア１００をＨＤＤコネクタ７０２に向かって移動させる。
【００３９】
図７Ｃは、係止位置を示している。ハンドル１２０が水平位置に完全に進んだとき、ガイドピン１２６は、耳部４０４に対して力を加え続けＨＤＤキャリア１００の水平移動を更に生じさせる。図７Ｃの例示的な構成では、ハンドル１２０、係止部材１２８と４１０、ＨＤＤコネクタ７０２、ＨＤＤキャリア１００、および水平トラック４０６は、ハンドルが水平位置にあるように配置される：（１）係止部材１２８と４１０は、互いに係合され、ハンドル１２０の移動（いずれの方向においても）を防ぐ、且つ（２）ＨＤＤコネクタ７０２は、ＨＤＤ１０６上の対応するコネクタと係合し、ＨＤＤ１０６をドライブスロット４０２と関連したコンピュータシステムに接続する。このときには、ＨＤＤキャリア１００は、水平移動に制限されているため、ＨＤＤコネクタ７０２およびＨＤＤ１０６上の対応するコネクタは、どのコネクタへの損傷も懸念することなく、安全に確実に係合することができる。
【００４０】
ドライブスロットからＨＤＤキャリア１００を取り外すには、図７Ａ〜図７Ｃのプロセスを逆に行う。まず、係止部材１２８と４１０は、互いに係脱され、ハンドル１２０を移動可能にする。その後、ハンドル１２０は、水平位置から垂直位置に変わり、ガイドピン１２６に対して反対の側壁に対して力を加え、反対にＨＤＤキャリア１００の水平移動を反対方向にする。このように、水平移動は、ＨＤＤコネクタ７０２からＨＤＤ１０６の対応するコネクタを安全に係脱させる。ハンドル１２０が垂直位置にあるとき、ＨＤＤキャリアは、ドライブスロット４０２から外されることができる。
【００４１】
実施例を通して開示されている上述の内容は、例示的なものにすぎず、限定的なものではない。本発明の思想と技術的範囲から逸脱しない種々の修正及び変更を行い得る。実施形態および実施例は、例示的なものであるに過ぎず、本発明の範囲は、以下の請求項及びその均等のものによって規定されて保護される。
【００４２】
本発明を１つ以上の実施形態に関して詳細に述べてきたが、本明細書および図式を読み理解する際に他の当業者により等価な修正および変更が生じる。また、本発明の特定の特徴は、複数の実施法案の１つだけに関連して述べられているが、このような特徴は、付与の、または特定の応用に必要で利点がある１つ以上の他の実施法案の他の特徴と組み合わせられてもよい。
【００４３】
ここで用いられる用語もまた、特定の実施例のみを説明する目的のものであり、それに限定するという意図はない。本明細書では、単数形の「一つの（ａ）」、「一つの（ａｎ）」及び「その（ｔｈｅ）」は、文脈によって他の明確な指示がされない限り、複数形も含む。また、本実施方式および／または請求範囲に用いられている用語「含んでいる（ｉｎｃｌｕｄｉｎｇ）」、「含む（ｉｎｃｌｕｄｅｓ）」、「有している（ｈａｖｉｎｇ）」、「有する（ｈａｓ）」、「含む（ｗｉｔｈ）」、またはその関連の用語の範囲では、その用語は、用語「含有する（ｃｏｍｐｒｉｓｉｎｇ）」と類似した方式を含むものとする。
【００４４】
特に定義されなければ、本明細書で使用される全ての技術的および科学的用語は、この発明が属する技術分野の当業者によって一般的に理解されるのと同じ意味を有している。さらに理解されることであろうが、一般に使用される辞書で定義されているような用語は、関連した技術分野の文脈におけるその意味と一致した意味を持つものとして解釈されるべきであり、本明細書で明確にそのように定義されない限り、理想化された又は過度に形式的な意味で解釈されない。
【符号の説明】
【００４５】
１００、２００…システム
１００…ＨＤＤキャリア
１０２…ブラケット
１０２Ａ…第１の端部
１０２Ｂ…第２の端部
１０３…側面
１０４…収容空間
１０６…ＨＤＤ
１０８…固定凸部
１１０…可動凸部
１１２…ラッチ
１１４…凹部
１１８…ピン
１２０…ハンドル
１２２…支点
１２４…回転軸
１２６…ガイドピン
１２８…係止部材
４００…コンピューティングデバイス
４０２…ドライブスロット
４０４…耳部
４０４Ａ…側壁
４０４Ｂ…縦溝
４０６…水平トラック
４０６Ａ…ピン挿入部
４０６Ｂ…ピン保持部
４１０…係止部材
７０２…ＨＤＤコネクタ
【図１Ａ】
2018120574.tif 000003
【図１Ｂ】
2018120574.tif 000004
【図１Ｃ】
2018120574.tif 000005
【図１Ｄ】
2018120574.tif 000006
【図２】
2018120574.tif 000007
【図３】
2018120574.tif 000008
【図４】
2018120574.tif 000009
【図５】
2018120574.tif 000010
【図６】
2018120574.tif 000011
【図７Ａ】
2018120574.tif 000012
【図７Ｂ】
2018120574.tif 000013
【図７Ｃ】
2018120574.tif 000014